(57)【要約】【課題】節水効果を有するサイホンゼット式の便器装置を提供する。【解決手段】上部に水の吐出口２１を有するとともに下部に排出口２４およびゼット口２５を有するボウル部２と、排出口２４に接続され、途中にトラップ部３１を有する排水路３と、ゼット口２５に接続され、水をゼット口２５よりボウル部２内に噴出させる噴出装置４３を有するゼット水路４と、を備える。トラップ部３１の越流高さ３３よりも低く排出口２４よりも高い位置のボウル部２の側部に取水口２６が設けられ、取水口２６に上流端が接続されるとともにゼット水路４に下流端が接続される還流路５と、還流路５に設けられるバッファタンク６と、を備える。【選択図】図１
2016217101.tif 000002
【特許請求の範囲】
【請求項１】
上部に水の吐出口を有するとともに下部に排出口およびゼット口を有するボウル部と、
前記排出口に接続され、途中にトラップ部を有する排水路と、
前記ゼット口に接続され、水を前記ゼット口より前記ボウル部内に噴出させるゼット水路と、を備え、
前記トラップ部の越流高さよりも低く前記排出口よりも高い位置の前記ボウル部の側部に取水口が設けられ、
前記取水口に上流端が接続されるとともに前記ゼット水路に下流端が接続される還流路と、前記還流路に設けられるバッファタンクと、を備えることを特徴とするサイホンゼット式の便器装置。
【請求項２】
前記取水口にフィルタを着脱可能に備えることを特徴とする請求項１記載のサイホンゼット式の便器装置。
【請求項３】
前記バッファタンクの容量が、一回の洗浄で前記ゼット口から噴出する水の量の２倍以上であることを特徴とする請求項１または２記載のサイホンゼット式の便器装置。
【請求項４】
前記還流路の前記取水口と前記バッファタンクとの間の部分に逆止弁を備えることを特徴とする請求項１ないし３のいずれか一項に記載のサイホンゼット式の便器装置。
【請求項５】
前記バッファタンク内の水の量を検知する検知部を備え、前記ゼット水路の上流端が給水源への接続部となり、前記検知部により検知した水の量に応じて、前記ゼット水路に前記給水源より水を供給することを特徴とする請求項１ないし４のいずれか一項に記載のサイホンゼット式の便器装置。
【請求項６】
前記取水口は、平面視において、前記ボウル部の側部の前記排出口が設けられる箇所から離間させて設けられることを特徴とする請求項１ないし５のいずれか一項に記載のサイホンゼット式の便器装置。
【発明の詳細な説明】
【技術分野】
【０００１】
本発明は、便器装置に関し、詳しくはサイホンゼット式の便器装置に関する。
【背景技術】
【０００２】
従来より、サイホンゼット式の便器装置が利用されている（例えば特許文献１参照）。
【先行技術文献】
【特許文献】
【０００３】
【特許文献１】特開２００２−１０６０４１号公報
【発明の概要】
【発明が解決しようとする課題】
【０００４】
サイホンゼット式の便器装置にあっては、トラップ部を水で満たしてサイホン現象を発生させるべく、水をゼット口から噴出する。このため、従来のサイホンゼット式の便器装置は、ボウル部の洗浄および汚物の排出のための水が多量に必要であった。
【０００５】
本発明は上記従来の問題点に鑑みて発明したものであって、その目的とするところは、節水効果を有するサイホンゼット式の便器装置を提供することにある。
【課題を解決するための手段】
【０００６】
本発明に係るサイホンゼット式の便器装置は、上部に水の吐出口を有するとともに下部に排出口およびゼット口を有するボウル部と、前記排出口に接続され、途中にトラップ部を有する排水路と、前記ゼット口に接続され、水を前記ゼット口より前記ボウル部内に噴出させるゼット水路と、を備え、前記トラップ部の越流高さよりも低く前記排出口よりも高い位置の前記ボウル部の側部に取水口が設けられ、前記取水口に上流端が接続されるとともに前記ゼット水路に下流端が接続される還流路と、前記還流路に設けられるバッファタンクと、を備えることを特徴とする。
【発明の効果】
【０００７】
本発明にあっては、ボウル部の洗浄および汚物の排出のための水の一部がバッファタンクに貯水される。これにより、節水効果が得られる。
【図面の簡単な説明】
【０００８】
【図１】第一実施形態の便器装置の断面図である。
【図２】第一実施形態において洗浄水吐出動作を説明する便器装置の断面図である。
【図３】第一実施形態において洗浄水吐出動作を説明する便器装置の断面図である。
【図４】第一実施形態において洗浄水吐出動作を説明する便器装置の断面図である。
【図５】第二実施形態の便器装置の断面図である。
【発明を実施するための形態】
【０００９】
本発明の第一実施形態について、添付図面に基いて説明する。
【００１０】
図１に示すように、便器装置１は、いわゆるサイホンゼット式の便器装置であり、ボウル部２と、排水路３と、ゼット水路４とを備える。
【００１１】
ボウル部２は、上部に水の吐出口２１を有するものである。第一実施形態では、ボウル部２の上端部に吐出口２１が設けられているが、上端部よりも下側に設けられてもよい。吐出口２１には、給水源（不図示）から供給される水を流す給水路２２が接続される。給水源としては、水道が好適に用いられるが、貯水タンク等が用いられてもよく、特に限定されない。
【００１２】
図１に示すように、第一実施形態では、給水源として水道が用いられ、給水路２２に開閉弁２３が設けられている。開閉弁２３が開くと、水道圧により水が流れ、開閉弁２３が閉じると、水の流れが止まる。開閉弁２３は、電磁弁等により構成されるが、電磁弁に限定されない。開閉弁２３は、制御部（不図示）により、開閉が制御される。制御部は、マイクロコンピュータを備えている。マイクロコンピュータは、ＣＰＵ(Central Processing Unit)や記憶装置等を備え、記憶装置に格納されたプログラムをＣＰＵが実行することにより制御を行うもので、従来より公知のものが適宜利用可能であって特に限定されない。
【００１３】
吐出口２１から吐出する水により、ボウル部２の洗浄が行われ、ボウル部２の溜水となり、また、ボウル部２内の汚物および溜水が後述する排出口２４から排出される。なお、ボウル部２の洗浄や溜水、汚物の排出に、第一実施形態においては水が用いられているが、洗剤が混入された水や、他の液体が用いられてもよく、特に限定されない。
【００１４】
ボウル部２は、下部に排出口２４を有するものである。第一実施形態では、ボウル部２の後側（図１において右側）の側部の下端部に、排出口２４が設けられているが、下端部より上側に設けられてもよい。排出口２４に、排水路３の上流端が接続される。
【００１５】
排水路３は、図１に示すように、第一実施形態では樹脂等からなる排水管の内部に形成されるが、特に樹脂等からなる排水管に限定されない。排水路３の下流端は、第一実施形態では図示しない下水管等に接続されるが、特に限定されない。排水路３は、途中にトラップ部３１を有するものである。トラップ部３１は、ボウル部２に対して固定されて動かないように構成されている。なお、トラップ部３１がボウル部２に対して幾分か動いてもよいが、設計上（特に溜水や排水性能について）の誤差範囲から逸脱するほど動くのは好ましくない。第一実施形態では、排水路３の一部が逆Ｕ字状となっており、この部分によりトラップ部３１が構成されているが、特に逆Ｕ字状に限定されない。トラップ部３１は、上流側と下流側を仕切る越流部３２を有し、この越流部３２の高さを越流高さ３３とする。なお、以下の説明において、高さの基準は特に限定されないが、同一の基準が用いられる。
【００１６】
また、図１に示すように、ボウル部２は、下部にゼット口２５を有するものである。第一実施形態では、ボウル部２の底部に、ゼット口２５が設けられているが、ボウル部２の側部の前側（図１において左側）の下端部に設けられてもよく、特に限定されない。ゼット口２５に、水をゼット口２５よりボウル部２内に噴出させるゼット水路４の下流端が接続される。第一実施形態では、ゼット水路４の上流端が、給水源への接続部４１となっており、接続部４１が給水路２２を介して給水源に接続されて、給水源からゼット水路４に水が供給可能である。ゼット水路４には、電磁弁等からなる開閉弁４２が設けられ開閉弁４２は、上述した制御部により開閉が制御される。
【００１７】
なお、ゼット口２５から噴出する水も、給水路２２を流れる水と同様に、洗剤が混入された水や他の液体が用いられてもよく、特に限定されない。また、ゼット水路４への給水源としても、給水路２２と同様に水道でなく貯水タンク等であってもよく、特に限定されない。また、給水路２２に水を供給する給水源とゼット水路４に水を供給する給水源は、同じであってもよいし、異なってもよい。
【００１８】
ゼット水路４には、図１に示すように、噴出装置４３が設けられる。噴出装置４３は、水をゼット口２５よりボウル部２内に噴出させるものである。第一実施形態では、噴出装置４３は、上述した制御部により制御されるポンプを有するものであるが、特にポンプを有しなくてもよい。例えば、水を高所より落下させたり、給水源として水道を用いて、水道圧を利用することにより、水をゼット口２５より噴出させてもよい。この場合には、ポンプのような動力源を有する噴出装置４３が不要となる。
【００１９】
ゼット口２５からの水の噴出方向は、排出口２４を向いている。噴出装置４３によってゼット口２５からボウル部２内に噴出した水は、排出口２４に流入する。これにより、排水路３のトラップ部３１が水で満たされてサイホン現象が発生し、ボウル部２内の汚物および水が吸引されて排出性能が高いものとなる。
【００２０】
便器装置１は、図１に示すように、還流路５と、バッファタンク６と、を備えるものである。還流路５は、ボウル部２とゼット水路４との間に接続される。ボウル部２には、その側部に取水口２６が設けられる。取水口２６は、トラップ部３１の越流高さ３３よりも低く、かつ、排出口２４よりも高い位置に設けられる。第一実施形態では、取水口２６は、平面視において、ボウル部２の側部の排出口２４が設けられる箇所から離間させて設けられている。すなわち、排出口２４は、ボウル部２の後側（図１において右側）の側部の下端部に設けられるのに対して、取水口２６は、ボウル部２の前側（図１において左側）の側部の下端部に設けられている。排出口２４に近い部分は、大便や小便が直接落下し易いため、このような箇所から離間させて取水口２６が設けられることにより、取水口２６に大便や小便が侵入するのが抑制される。
【００２１】
還流路５は、その上流端が取水口２６に接続される。また、還流路５は、その下流端が、ゼット水路４の噴出装置４３よりも上流側の部分に接続される。なお、ゼット水路４が噴出装置４３を有しない場合には、還流路５の下流端は、ゼット水路４のいずれかの部分に接続される。還流路５の途中には、バッファタンク６が設けられる。
【００２２】
バッファタンク６は、取水口２６より取り入れたボウル部２内の溜水を、還流路５のうちのバッファタンク６よりも上流側の流路５１を通して貯水するものである。バッファタンク６内の水は、還流路５のうちのバッファタンク６よりも下流側の流路５２を通して、さらにゼット水路４を介してボウル部２内に戻る。第一実施形態では、バッファタンク６は取水口２６よりも低い位置に設けられており、ボウル部２内の取水口２６よりも高い位置の溜水は取水口２６へと流入するため、取水口２６の下端よりも喫水面２７が高くなることはない。なお、バッファタンク６の容量は、通常は満水にならないように設計されている。また、第一実施形態では、取水口２６は、トラップ部３１の越流高さ３３よりも低い位置に設けられており、喫水面２７の高さ（取水口２６の下端の高さ）は、従来の喫水面の高さ（すなわち越流高さ３３）よりも低い。なお、喫水面２７の高さ（取水口２６の下端の高さ）が越流高さ３３と同じ高さに設けられてもよい。
【００２３】
上述した便器装置１の動作について説明する。使用者が、図示しない操作部を操作したり、また、図示しない人感センサ等の検知部が使用者の起立を検知したりすることで、制御部が洗浄水吐出動作を開始する。
【００２４】
洗浄水吐出動作は、図２に示すように、まず、吐出口２１に接続される給水路２２の開閉弁２３が開き、吐出口２１より水がボウル部２に吐出されて前通水が行われる。前通水により、ボウル部２の上部（上端部）に水が流されて、ボウル部２の内面の喫水面２７よりも上側の部分の洗浄が行われる。前通水によってボウル部２内に水が吐出されると、喫水面２７が上昇するが、取水口２６よりも高くなる分については取水口２６へと流入し、バッファタンク６に貯水される。
【００２５】
次に、図３に示すように、ゼット水路４に設けられた噴出装置４３が作動して、水がゼット口２５より排出口２４に向けて噴出される。吐出口２１からの水の吐出は継続される。ゼット口２５から噴射される水は、バッファタンク６の水が用いられるが、足りない場合には、ゼット水路４の開閉弁４２が開かれて、給水源から水が供給される。ゼット口２５からの噴射される水により、トラップ部３１の排出口２４から越流部３２よりも下流側の部分までが水で満たされてサイホン現象が発生する。これにより、ボウル部２内の汚物および水が強く吸引されて排出される。
【００２６】
次に、図４に示すように、噴出装置４３が作動を停止し、吐出口２１からの水の吐出は継続されて、後通水が行われる。後通水により、ボウル部２内に水が吐出されて、図１に示すように、ボウル部２の溜水が形成される。
【００２７】
従来は、ゼット口２５から噴射される水は、前通水に用いられる水とは別に、ゼット口２５から噴射されるのにのみ用いられていた。これに対し、上述した便器装置１においては、前通水の際の水がバッファタンク６に貯水され、ゼット口２５から噴射される水は、このバッファタンク６の貯水が用いられる。すなわち、前通水に用いられる水を再利用してゼット口２５から噴射するものである。これにより、給水源から得て用いる水の量が従来よりも少なくて済み、節水効果が得られるものである。
【００２８】
第一実施形態では、バッファタンク６は取水口２６よりも低い位置に設けられており、ボウル部２内の取水口２６よりも高い位置の溜水は取水口２６へと流入するため、ポンプ等の駆動部なしにバッファタンク６へ貯水可能である。
【００２９】
このとき、バッファタンク６の容量を、一回の洗浄でゼット口２５から噴出する水の量の２倍以上にすることが好ましい。一回の洗浄でゼット口２５から噴出する水の量は、大便の場合と小便の場合とで異なるため、大便の際の量が採用される。バッファタンク６の容量は、一回の洗浄でゼット口２５から噴出する水の量の２倍以上とすることが好ましいが、１．５倍、３倍、４倍、５倍以上であってもよい。このようにすることで、バッファタンク６の貯水のみで、ゼット口２５から噴出する水が賄われ易くなる。
【００３０】
次に、第二実施形態について、図５に基いて説明する。なお、第一実施形態と同じ構成については説明を省略し、異なる構成について説明する。
【００３１】
第二実施形態では、第一実施形態において、さらに、取水口２６または還流路５の上流側の流路５１にフィルタ２８を着脱可能に備えるものである。フィルタ２８のメッシュの粗さ等は特に限定されない。
【００３２】
これにより、大便等の汚物がバッファタンク６に取り込まれるのが抑制される。また、フィルタ２８が着脱可能に取り付けられることにより、清掃の際にフィルタ２８が取り外されて、清掃がし易くなる。
【００３３】
第二実施形態では、さらに、還流路５の取水口２６とバッファタンク６との間の部分に逆止弁５３を備えるものである。逆止弁５３は、ばねが用いられるもの等、従来より公知のものが適宜利用可能であって特に限定されない。
【００３４】
これにより、バッファタンク６から取水口２６へ向けて水が流れる、すなわち、還流路５において下流側から上流側へ逆流するのが抑制される。
【００３５】
第二実施形態では、さらに、バッファタンク６内の水の量を検知する検知部６１を備える。そして、検知部６１により検知した水の量に応じて、ゼット水路４に給水源より水を供給するものである。検知部６１は、フロートスイッチ等、従来より公知のものが適宜利用可能であって特に限定されない。検知部６１により検知された情報は、制御部により処理される。
【００３６】
これにより、バッファタンク６の貯水だけでは、ゼット口２５から噴出する水を賄いきれない場合に、水を補充することが可能となる。
【００３７】
本発明のサイホンゼット式の便器装置１は、上部に水の吐出口２１を有するとともに下部に排出口２４およびゼット口２５を有するボウル部２を備える。排出口２４に接続され、途中にトラップ部３１を有する排水路３と、ゼット口２５に接続され、水をゼット口２５よりボウル部２内に噴出させる噴出装置４３を有するゼット水路４と、を備える。トラップ部３１の越流高さ３３よりも低く排出口２４よりも高い位置のボウル部２の側部に取水口２６が設けられ、取水口２６に上流端が接続されるとともにゼット水路４に下流端が接続される還流路５を備える。還流路５に設けられるバッファタンク６を備える。
【００３８】
これにより、給水源から得て用いる水の量が従来よりも少なくて済み、節水効果が得られるものである。
【００３９】
また、取水口２６にフィルタ２８を着脱可能に備えることが好ましい。
【００４０】
これにより、大便等の汚物がバッファタンク６に取り込まれるのが抑制される。また、フィルタ２８が着脱可能に取り付けられることにより、清掃の際にフィルタ２８が取り外されて、清掃がし易くなる。
【００４１】
また、バッファタンク６の容量が、一回の洗浄でゼット口２５から噴出する水の量の２倍以上であることが好ましい。
【００４２】
これにより、バッファタンク６の貯水のみで、ゼット口２５から噴出する水が賄われ易くなる。
【００４３】
また、還流路５の取水口２６とバッファタンク６との間の部分に逆止弁５３を備えることが好ましい。
【００４４】
これにより、バッファタンク６から取水口２６へ向けて水が流れる、すなわち、還流路５において下流側から上流側へ逆流するのが抑制される。
【００４５】
また、バッファタンク６内の水の量を検知する検知部６１を備え、ゼット水路４の上流端が給水源への接続部４１となり、検知部６１により検知した水の量に応じて、ゼット水路４に給水源より水を供給することが好ましい。
【００４６】
これにより、バッファタンク６の貯水だけでは、ゼット口２５から噴出する水を賄いきれない場合に、水を補充することが可能となる。
【００４７】
また、取水口２６は、平面視において、ボウル部２の側部の前記排出口２４が設けられる箇所から離間させて設けられることが好ましい。
【００４８】
これにより、取水口２６に大便や小便が侵入するのが抑制される。
【符号の説明】
【００４９】
１    便器装置
２    ボウル部
２１  吐出口
２４  排出口
２５  ゼット口
２６  取水口
３    排水路
３１  トラップ部
３３  越流高さ
４    ゼット水路
４３  噴出装置
５    還流路
６    バッファタンク
【図１】
2016217101.tif 000003
【図２】
2016217101.tif 000004
【図３】
2016217101.tif 000005
【図４】
2016217101.tif 000006
【図５】
2016217101.tif 000007